(57)【要約】【課題】結合作業を簡易に行え、かつ外観上の見栄えを損なうことのない立体的結合物を構築可能な樹脂シート材の結合構造の提供を課題とする。【解決手段】樹脂シート材と一体的に形成され、第一突片２を有する第一結合部７と、樹脂シート材と一体的に形成された少なくとも一対の第二突片３、及び、互いに離間して配された一対の第二突片３の間に、第一突片２に対向するように設けられた第二凹部１０を有する第二結合部８とを具備する結合構造であって、第一突片２は、樹脂シート材と接続した截頭部１５の接続幅Ｗ１に対し、少なくとも一部が拡幅して形成された第一拡幅部１２を備え、第二突片３は、樹脂シート材１と接続した截頭部１５の接続幅Ｗ１に対し、少なくとも一部が拡幅して形成された第二拡幅部１３を備え、第一突片２を第二凹部１０に挿入し、第一突片２を一対の第二突片３に係合して結合状態を保持することができる。【選択図】図３
2009113233.tif 000002
【特許請求の範囲】
【請求項１】
樹脂シート材の端縁同士を結合し、立体結合物を構築可能な樹脂シート材の結合構造であって、
前記樹脂シート材と一体的に形成され、一方の前記端縁から延設された第一突片を有する第一結合部と、
前記樹脂シート材と一体的に形成され、他方の前記端縁から延設された少なくとも一対の第二突片、及び、一対の前記第二突片を所定の間隔を保持して互いに離間するようにして配して形成された第二凹部を有する第二結合部と
を具備し、
前記第一突片は、
前記樹脂シート材と接続した第一接続部の接続幅に対し、少なくとも一部が拡幅して形成された第一拡幅部を備え、
前記第二突片は、
前記樹脂シート材と接続した第二接続部の接続幅に対し、少なくとも一部が拡幅して形成された第二拡幅部を備え、
前記第一突片を前記第二突片の間の前記第二凹部に挿入し、前記第一突片及び一対の前記第二突片を前記第一拡幅部及び前記第二拡幅部によって係合させることにより、前記第一結合部及び前記第二結合部の結合状態を保持することを特徴とする樹脂シート材の結合構造。
【請求項２】
樹脂シート材の端縁同士を結合し、立体結合物を構築可能な樹脂シート材の結合構造であって、
前記樹脂シート材と一体的に形成され、一方の前記端縁から延設され、前記樹脂シート材と接続した第一接続部の接続幅に対し、少なくとも一部が拡幅して形成された第一拡幅部を有する第一突片を備える第一結合部と、
前記樹脂シート材と一体的に形成され、他方の前記端縁から前記第一突片と対向するように設けられ、前記端縁の近傍に穿設された挿入係止孔を有する第二突片を備える第二結合部と
を具備し、
前記挿入係止孔は、
前記第一突片の前記第一拡幅部よりも狭小に形成され、
前記第一突片を弾性変形させて前記挿入係止孔に挿入するとともに、弾性回復した前記第一突片及び前記挿入係止孔による係合によって前記第一結合部及び前記第二結合部の結合状態を保持することを特徴とする樹脂シート材の結合構造。
【請求項３】
前記第一結合部の前記第一突片及び前記第二結合部の前記第二突片は、
前記樹脂シート材のそれぞれの前記端縁から樹脂シート材裏面側に向かって曲折して形成され、構築される前記立体結合物の結合物内空間で前記第一突片及び前記第二突片が係合されることを特徴とする請求項１または請求項２に記載の樹脂シート材の結合構造。
【請求項４】
前記第一突片及び前記第二突片の少なくともいずれか一方は、
外周形状の少なくとも一部が略円弧形状を呈して構成されることを特徴とする請求項１乃至請求項３のいずれか一つに記載の樹脂シート材の結合構造。
【請求項５】
前記第一突片及び前記第二突片の少なくともいずれか一方は、
突片面が凸状または凹状に湾曲して形成されることを特徴とする請求項１乃至請求項４のいずれか一つに記載の樹脂シート材の結合構造。
【発明の詳細な説明】
【技術分野】
【０００１】
本発明は、樹脂シート材の結合構造に関するものであり、特に、シート成形によって片面立体形状に成形加工された少なくとも一対の樹脂シート材を利用し、全面立体形状の立体結合物を構築可能な樹脂シート材の結合構造に関するものである。
【背景技術】
【０００２】
従来から、各種の樹脂成形品或いは樹脂加工品を生産等する場合において、射出成形、押出成形、シート成形、注型成形、及びカレンダー成形等の種々の樹脂成形技術が利用されている。ここで、シート成形は、大別すると、プレス成形及び真空成型に分類することができ、例えば、プレス成形を具体的に示すと、平板状（シート状）の樹脂シート材に必要に応じて熱を加えながら、金型で圧力を与え、所定の形状にプレスすることにより、当該樹脂シート材を所望の形状に伸張及び膨出させ、立体的な形状を構築可能とするものである。また、真空成形は、例えば、商品の個別包装に採用されるブリスターパック等の各種パッケージに使用されている。
【０００３】
ところで、近年の製品（商品）の広告宣伝活動において、販売促進の対象である清涼飲料水やビールの缶やボトルの形状及びデザイン等を模した大型の模型を製作し、小売店の店頭や駅などの広告スペースにディスプレイし、消費者の注目を浴び、製品の認知度を向上させるような手法が採用されることがある。このような場合、大型の模型を製作するために、上記の各種樹脂成形技術を応用することがある。特に、プレス加工により比較的簡易に、かつ大型の立体形状の模型を製作可能なシート成型技術が用いられている。この場合、大型の模型の立体形状を全面に亘って構築するためには、例えば、模型表側及び模型裏側をそれぞれ個別にシート成形し、これらを接合する作業が必要であった。
【０００４】
以上の従来技術は、本技術分野における当業者においては周知のものであり、本願出願時には、本発明に関する関する従来技術が記載された文献を本願出願時において特に知見するものではない。
【発明の開示】
【発明が解決しようとする課題】
【０００５】
しかしながら、先に述べたように、シート成形技術を利用して模型等の立体結合物を構築しようとする場合、表側及び裏側を接着材や粘着テープ等の周知の固定手段を利用して、接合状態を固定する必要があった。このとき、樹脂シート材のシート厚だけでは、十分な接着強度を得るための接着面積を確保することができないため、例えば、樹脂シート材の端縁に沿って所定の幅で延出させた辺縁部（所謂「のりしろ部」）を設け、辺縁部同士を接着剤で貼合わせることにより、表側及び裏側の接合状態を保持していた。このため、製作された模型（立体結合物）の外観形状は、本来必要のない辺縁部が突出し、外観上の見栄えがあまり良くないものとなることがあった。
【０００６】
さらに、この接着作業自体の煩雑であり、辺縁部に塗布し、貼合わせた後に接着剤が乾燥し、十分な接着強度が得られるまでに多くの時間を要することがあった。加えて、接着剤の場合、当該立体結合物を店頭等から撤去する場合、容易に解体することができず、接着部分（辺縁部）を破壊する必要があった。その結果、一度撤去した立体結合物を別の場所で再びディスプレイするような再利用が基本的にできなかった。そのため、資源を有効的に活用するリサイクルの点からも、上記の接着剤の使用はあまり好ましいものではなかった。また、ポリエチレン或いはポリプロピレン等のポリオレフィン系の樹脂を使用する場合、一般的な接着剤では、その特性上、十分な接着強度を得ることができなかった。そのため、予め下処理として樹脂表面にプライマーを塗布し、さらにそのプライマーの上に接着剤を塗布する等の面倒な作業が必要であった。したがって、係る接着剤の使用はあまり好まれなかった。
【０００７】
一方、粘着テープ等を使用した場合、上記のように辺縁部が立体結合物の一部から突出するようなことはなかった。しかしながら、表側及び裏側を互いに架渡すように接着される粘着テープによって、同様に外観上の見栄えはあまりよいものではなかった。さらに、粘着テープのみでは十分な結合強度を得ることができない場合ものあり、長期間に亘ってディスプレイされた場合、結合箇所の粘着テープの粘着力が低下し、立体結合物が崩壊するおそれもあった。また、接着剤の場合と同様に、リサイクル性に乏しい欠点を有していた。
【０００８】
そこで、本発明は、上記実情に鑑み、結合作業を簡易に行え、かつ外観上の見栄えを損なうことのない立体的結合物を構築可能な樹脂シート材の結合構造の提供を課題とするものである。
【課題を解決するための手段】
【０００９】
上記の課題を解決するため、本発明の樹脂シート材の結合構造は、「樹脂シート材の端縁同士を結合し、立体結合物を構築可能な樹脂シート材の結合構造であって、前記樹脂シート材と一体的に形成され、一方の前記端縁から延設された第一突片を有する第一結合部と、前記樹脂シート材と一体的に形成され、他方の前記端縁から延設された少なくとも一対の第二突片、及び、一対の前記第二突片を所定の間隔を保持して互いに離間するようにして配して形成された第二凹部を有する第二結合部とを具備し、前記第一突片は、前記樹脂シート材と接続した第一接続部の接続幅に対し、少なくとも一部が拡幅して形成された第一拡幅部を備え、前記第二突片は、前記樹脂シート材と接続した第二接続部の接続幅に対し、少なくとも一部が拡幅して形成された第二拡幅部を備え、前記第一突片を前記第二突片の間の前記第二凹部に挿入し、前記第一突片及び一対の前記第二突片を前記第一拡幅部及び前記第二拡幅部によって係合させることにより、前記第一結合部及び前記第二結合部の結合状態を保持する」ものから主に構成されている。
【００１０】
ここで、樹脂シート材とは、例えば、ポリエチレン、ポリプロピレン、及びポリスチレン等のポリオレフィン系樹脂、ポリ塩化ビニル、及びポリエチレンテレフタレート樹脂等を高分子化合物を原料とするシート状の素材であり、熱可塑性樹脂及び熱硬化性樹脂のいずれであっても構わない。また、これらの樹脂シート材は、応力に対して弾性変形可能な特性を有している。また、樹脂シート材によって形成される立体結合物とは、例えば、広告宣伝用に利用される大型の模型等を想定することができる。
【００１１】
さらに、第一結合部の第一突片及び第二結合部の第二突片は、樹脂シート材を所望の形状に切断加工する際に一緒に形成される。具体的に説明すると、樹脂シート材を予め設計した形状（例えば、長方形状）に加工する際に、当該樹脂シート材の端縁に相当する位置からシート面に沿って第一突片及び第二突片を突出するように切断加工する。なお、係る切断加工処理は、既存の樹脂シート材を所望の形状にカットする際に使用する型抜き用等の切断具の一部を改良するだけで足り、製造コストを大きくアップさせるものではない。そのため、比較的低コストで第一結合部及び第二結合部をそれぞれ構築することが可能となる。
【００１２】
加えて、第一突片及び第二突片は、それぞれの樹脂シート材と接続した第一接続部（または第二接続部）接続幅、換言すれば、樹脂シート材と第一突片（または第二突片）との折り目部分長さに対して少なくとも一部が拡幅した第一拡幅部（または第二拡幅部）を備えている。具体的な形状を例示すると、例えば、台形状の第一突片及び第二突片が想定され、台形の上底部分が樹脂シート材と接続した第一接続部等に相当し、上底の長さが接続幅に相当する。そして、接続幅よりも長い台形の下底部分が上述した第一拡幅部等に相当する。ここで、第一突片及び第二突片の形状は、上記の台形形状に限定されるものではなく、第一拡幅部等が第一突片等の中間位置に設けられるものや、多角形状を有するもの、或いは少なくとも一部が曲線形状を有して構成されるものであっても構わない。
【００１３】
また、第一突片を有する第一結合部及び第二突片を有する第二結合部は、例えば、長方形状で形成された一枚の樹脂シート材の互いに対向する一方及び他方の端縁にそれぞれ設け、樹脂シート材を略中央部分で折り曲げたり、或いは端縁間で撓ませるように湾曲させることによって、端縁同士を近接させ、結合するものであってもよい。或いは、少なくとも一対の樹脂シート材の端縁にそれぞれ第一結合部または第二結合部を設け、一対の樹脂シート材同士を連結（結合）するものであってもよい。さらに具体的に説明すると、前者の場合、樹脂シート材の略中央部に折曲部を設け、該折曲部で端縁同士を近接させることによって、略円筒形状（或いは円缶状）に形成した立体結合物を構築するものを例示することができ、後者の場合、断面略半円形状に形成された一対の片面立体形状の樹脂シート材を互いの端縁同士を対向させた状態で近接し、係る状態で第一結合部及び第二結合部を結合して立体結合物を構築するものを例示することができる。
【００１４】
したがって、本発明の樹脂シート材の結合構造によれば、各々の端縁に設けられた第一突片及び一対の第二突片を係合することにより、第一結合部及び第二結合部による結合状態が保持される。このとき、始めに一対の第二突片の間の第二凹部に第一突片を挿入し、第一突片と第二凹部とを当接させる。このとき、一対の第二突片は、第二接続部の接続幅に対して拡幅した第二拡幅部をそれぞれ有し、同様に、第一突片は、第一接続部の接続幅に対して拡幅した第一拡幅部を有している。
【００１５】
その結果、一対の第二突片の間は、第一突片の第一拡幅部よりも狭小となる。そのため、第一突片を第二突片の間に挿入する場合、第一突片を弾性変形させて、当該狭小部分を通過させ、その後、弾性回復（弾性復帰）させて第二凹部に当接するようにする。これにより、それぞれの拡幅部によって互いの動きが規制され、第一突片及び第二突片が係合した状態となる。その結果、樹脂シートの端縁同士が結合（連結）されることとなる。
【００１６】
一方、第一結合部及び第二結合部の結合状態を解除する場合、上記係合操作と逆に、第一突片を弾性変形させながら、第二凹部から離間させ、第二突片の間の狭小部分を通過させる。これにより、結合状態の解除が完了する。係る結合及び結合解除の操作は、何度も繰り返し行うことが可能であり、立体結合物を構築及び解体を何度でも行える。その結果、別の場所に立体結合物（模型）を移動させる場合であっても、一端解体し、現地で再び組立てる等の処理が簡易になる。
【００１７】
なお、端縁に形成される第一結合部の第一突片及び第二結合部の一対の第二突片は、一つの第一突片及び一対の第二突片が最小単位であり、係る数に限定されるものではない。すなわち、端縁に第一突片及び第二突片を所定の間隔を保持した状態で連続的に形成するものであっても構わない。この場合、一対の第一突片の間の第一凹部に第二突片が挿入されることとなり、上記と同様の作用効果を奏することとなる。その結果、樹脂シートの端縁同士の結合状態がより強固なものとなる。しかしながら、その結合及び結合解除の操作は変化しない。
【００１８】
さらに、本発明の樹脂シート材の結合構造は、上記構成に加え、「樹脂シート材の端縁同士を結合し、立体結合物を構築可能な樹脂シート材の結合構造であって、前記樹脂シート材と一体的に形成され、一方の前記端縁から延設され、前記樹脂シート材と接続した第一接続部の接続幅に対し、少なくとも一部が拡幅して形成された第一拡幅部を有する第一突片を備える第一結合部と、前記樹脂シート材と一体的に形成され、他方の前記端縁から前記第一突片と対向するように設けられ、前記端縁の近傍に穿設された挿入係止孔を有する第二突片を備える第二結合部とを具備し、前記挿入係止孔は、前記第一突片の前記第一拡幅部よりも狭小に形成され、前記第一突片を弾性変形させて前記挿入係止孔に挿入するとともに、弾性回復した前記第一突片及び前記挿入係止孔による係合によって前記第一結合部及び前記第二結合部の結合状態を保持する」ものであっても構わない。
【００１９】
したがって、本発明の樹脂シート材の結合構造によれば、樹脂シート材の端縁にそれぞれ形成された第一結合部の第一突片及び第二結合部の第二突片が係合し、結合状態が保持される。このとき、第一突片を弾性変形させて、第二突片の端縁近傍に穿設された挿入係止孔に挿入することにより、第一突片及び第二突片の係合が形成される。この場合、挿入係止孔は、第一突片の第一拡幅部よりも狭小に形成されているため、弾性変形によって挿入された後に弾性回復によって元の大きさに戻った第一突片は、当該挿入係止孔との係合を解除することができない。そのため、第一結合部及び第二結合部の結合状態が保持される。なお、係合を解除する場合は、第一突片に力を加えて再び変形させた後、挿入係止孔を通過させることによって解除が可能となる。これにより、樹脂シート材の端縁同士の結合及び解除を容易に行える。
【００２０】
さらに、本発明の樹脂シート材の結合構造は、上記構成に加え、「前記第一結合部の前記第一突片及び前記第二結合部の前記第二突片は、前記樹脂シート材のそれぞれの前記端縁から樹脂シート材裏面側に向かって曲折して形成され、構築される前記立体結合物の結合物内空間で前記第一突片及び前記第二突片が係合される」ものであっても構わない。
【００２１】
したがって、本発明の樹脂シート材の結合構造によれば、第一突片及び第二突片の係合が立体結合物の結合物内空間で行われる。すなわち、立体結合物の外観には、第一突片等の突起物が現れず、外観を損なうことがない。そのため、広告宣伝用の模型として立体結合物をディスプレイする場合でも、店舗内の雰囲気を損なうことがない。
【００２２】
さらに、本発明の樹脂シート材の結合構造は、上記構成に加え、「前記第一突片及び前記第二突片の少なくともいずれか一方は、外周形状の少なくとも一部が略円弧形状を呈して構成される」ものであっても構わない。
【００２３】
したがって、本発明の樹脂シート材の結合構造によれば、第一突片及び第二突片の少なくともいずれか一方が、略円弧形状を呈して構成されている。これにより、第一突片及び第二突片の係合及び解除操作が容易となる。さらに、台形等の多角形状で形成した場合と比べ、鋭角な部分が少なくなるため、係合及び解除操作の際に指等を切る恐れも少なくなる。さらに、円弧状に形成することにより、デザイン的に優れたものとすることができる。
【００２４】
さらに、本発明の樹脂シート材の結合構造は、上記構成に加え、「前記第一突片及び前記第二突片の少なくともいずれか一方は、突片面が凸状または凹状に湾曲して形成される」ものであっても構わない。
【００２５】
したがって、本発明の樹脂シート材の結合構造によれば、第一結合部及び第二結合部を結合し、立体結合物を構築した場合、突片面が凸状または凹状に湾曲していることにより、立体結合物の外観形状に沿って第一突片等が当接することとなる。その結果、立体結合物から第一突片等が突出することがなく、立体結合物の外観形状を損なうことがない。
【発明の効果】
【００２６】
本発明の効果として、樹脂シート材の結合構造によれば、樹脂シート材の端縁同士を接着剤や粘着テープを使用することなく容易に結合し、立体結合物（模型）を構築することができ、さらに結合状態の解除も簡易に行うことができる。そのため、立体結合物を他の場所でディスプレイする際に解体し、再び組立てることが可能となり、立体結合物の再利用を図ることができる。さらに、第一結合部及び第二結合部は、立体結合物の形状に制限されることがなく、直線或いは曲線的な変化を示す位置であっても、それぞれ結合部を設けることができる。また、第一突片及び第二突片を立体結合物の結合物内空間側に曲折して係合させることにより、立体結合物の外観形状を損なうことがない見栄えの良いものとなる。
【発明を実施するための最良の形態】
【００２７】
以下、本発明の第一実施形態の樹脂シート材の結合構造（以下、単に「結合構造」と称す）について、図１乃至図５に基づいて説明する。ここで、図１は第一実施形態の結合構造を採用した樹脂シート材１を利用した立体結合物Ｍ１の構成を示す斜視図であり、図２は立体結合物Ｍ１の構成を示す分解斜視図であり、図３は第一突片２及び第二突片３による係合を示す拡大図であり、図４は（ａ）第一突片２及び第二突片３による係合を示す断面図、及び（ｂ）別例を示す断面図であり、図５は結合構造を採用した立体結合物Ｍ２の別例構成を示す説明図である。なお、第一実施形態の結合構造を採用した立体結合物Ｍ１として、缶入り飲料の缶を模した中空の円筒形状の模型について例示するものとする。なお、本発明の適用は、もちろんこれに限定されるものではなく、直線及び曲線を組合わせてなる複雑な形状の立体結合物に採用することができる。
【００２８】
第一実施形態の結合構造を採用した立体結合物Ｍ１は、図１乃至図５に示すように、平板状の樹脂シート材１をシート成形加工によって立体的に形成した断面半円形状の片面立体構造の一対の加工シート体４ａ，４ｂによって主に構成されている。ここで、加工シート体４ａ，４ｂは、樹脂シート材１に熱を加えながら金型でプレスすることにより、中央部分をかまぼこ型に膨出させたものであり、内部が空洞で形成され、該空洞と四角形状の開口部５によって連通したものであり、後述する第一結合部７及び第二結合部８の配置を除き、同一形状で形成されたものである。
【００２９】
ここで、一対の加工シート体４ａ，４ｂにおける一方の加工シート体４ａは、開口部５の長手方向の互いに対向する一対の端縁６ａから所定の間隔を保持し、互いに離間した複数の第一突片２が該端縁６ａに沿って配され、これにより第一結合部７をそれぞれ構成している。また、他方の加工シート体４ｂも同様に、開口部５の長手方向の互いに対向する一対の端縁６ｂから所定の間隔を保持し、互いに離間した複数の第二突片３が該端縁６ｂに沿って配され、これにより第二結合部８をそれぞれ構成している。
【００３０】
このとき、各端縁６ａに配された第一結合部７の互いに隣合う一対の第一突片２の間には、第一突片２に対して凹状に窪んだ第一凹部９が交互に形成されている。また、同様に、第二結合部８の互いに隣合う一対の第二突片３の間には、第二突片３に対して凹状に窪んだ第二凹部１０が交互に形成されている。
【００３１】
さらに詳細に説明すると、一対の加工シート４ａ，４ｂのそれぞれの開口部５（または端縁６ａ，６ｂ）を互いに対向するように当接させ、略円筒形状の立体結合物Ｍ１を構成しようとする場合（図２等参照）、第一結合部７の第一突片２に対向する位置に第二結合部８の第二凹部１０が位置し、第二結合部８の第二突片３に対向する位置に第一結合部７の第一凹部９が位置するように形成されている。すなわち、第一結合部７及び第二結合部８は、図１等に示されるように第一突片２及び第一凹部９、第二突片３及び第二凹部１０によって、それぞれ略櫛型形状になっている。ここで、端縁６ａ，６ｂからそれぞれ延設された第一突片２及び第二突片３は、加工シート体４ａ，４ｂ（または樹脂シート材１）を所定の形状に切断加工する際に、上記略櫛型形状が同時に形成される。この第一突片２等の形成は、既存の樹脂シート材１を切断する加工機械を利用することによって簡易に行うことができる。そのため、新たな設備コストを必要とせず、形成する立体結合物Ｍ１の製作コストが嵩むことがない。ここで、加工シート体４ａ，４ｂ及び突片２，３は、応力に対して弾性変形可能なポリプロピレン樹脂を使用するものについて、例示している。
【００３２】
さらに、第一突片２及び第二突片３について詳述すると、図３及び図４等に示すように、第一突片２及び第二突片３は、略円形状を呈して構成され、さらに具体的に説明すると、円形の一部を切り取った截頭円形状を有している。そして、切取られた截頭部１５で加工シート体４ａ，４ｂの各端縁６ａ，６ｂと接続している。ここで、截頭部１５が本発明における第一接続部及び第二接続部に相当する。
【００３３】
このとき、截頭部１５と端縁６ａ，６ｂとの接続幅Ｗ１に対し、略円形状の第一突片２及び第二突片３のほぼ直径に相当する最大幅の部分である第一拡幅部１２及び第二拡幅部１３の突片幅Ｗ２は大きくなるように設定されている。さらに、各片２，３の間にそれぞれ形成される第一凹部９及び第二凹部１０の凹部幅Ｗ３は、いずれも前述した接続幅Ｗ１とほぼ同一になるように形成されている。すなわち、突片幅Ｗ２は、接続幅Ｗ１及び凹部幅Ｗ３のいずれよりも大きくなっている。さらに言及すると、一対の第二突片３の第二拡幅部１３の間の挟片幅Ｗ４は、突片幅Ｗ２よりも狭くなっている。
【００３４】
次に、本発明の第一実施形態の結合構造を採用した立体結合物Ｍ１を構築するための第一結合部７及び第二結合部８の結合及び結合解除の操作の具体例について説明する。まず、一方の加工シート体４ａの端縁６ａに設けられた第一結合部７の一つの第一突片２を、加工シート体４ａに対向するように配置した他方の加工シート体４ｂの第二結合部８の第二凹部１０に当接させる。このとき、第一突片２の第一拡幅部１２の突片幅Ｗ２に対し、挟片幅Ｗ４が狭くなっているため、一対の第二突片３の間に第一突片２を挿入し、当接させようとしても互いに隣合う一対の第二突片３によって係る挿入操作が阻害されてします。
【００３５】
そこで、係る操作を行う際に、第一突片２に応力を与え、弾性変形させる。具体的には、截頭部１５に対して、第一突片２の先端部分をひねるような力を加える。これにより、当該応力が与えられた状態では、挟片幅Ｗ４に対し、第一突片２の幅を一時的に小さくすることができる。そのため、一対の第二突片３の間に第一突片２を挿入し、第一凹部９に当接させることができる。
【００３６】
そして、第一突片２の先端をひねる操作を終了し、第一突片２を弾性回復させることにより、第一突片２及び一対の第二突片３が係合することとなる。このとき、第一突片２及び第二突片３のそれぞれの截頭部１５の截頭部端１５ａ，１５ｂが互いに重なり合うこととなる。そして、一対の第二突片３によって、第一突片２が加工シート体４ｂのシート上面１４ｂ側に向かって押し下げられる。これにより、第一突片２及び一対の第二突片３の係合により、第一結合部７及び第二結合部８が結合する。
【００３７】
そして、上記の操作を各突片２，３に対して繰り返し行うことにより、第一結合部７及び第二結合部８による結合状態がより強固なものとなる。なお、第一実施形態の結合構造においては、第一突片２及び第二突片３が交互に形成されているため、互いに隣合う第一突片２同士或いは第二突片３同士で、それぞれの凹部９，１０に挿入された第二突片３或いは第一突片２を係合することとなる。すなわち、第一突片２及び第二突片３が上述した第一突片２及び第二突片３の相互の機能を奏することとなる。
【００３８】
ここで、図１等において、第一突片２及び第二突片３が規則的に連続して各端縁６ａ，６ｂに形成されているものを示したが、少なくとも一つの第一突片２及び一対の第二突片３の構成を有するものであれば、本発明の結合構造を構築することが可能である。そのため、第一突片２及び第二突片３の配置は、形成する立体結合物の形状、或いはサイズ等に応じて適宜選択するものであってもよい。
【００３９】
また、第一突片２及び第二突片３による係合は、図４の断面図で示されるように、一方の加工シート体４ａのシート上面１４ａに第二突片３が上方から重ねられ、他方の加工シート体４ｂのシート上面１４ｂに第一突片２が上方から重ねられるようになっている。なお、図４（ｂ）に示すように、第一突片２及び第二突片３を重ねられるシート上面１４ａ，１４ｂの外観形状に沿うように凹状若しくは凸状にそれぞれの突片面１１ａ，１１ｂを予め湾曲させたものであってもよい。さらには、当該突片２，３を椀状等に形成したものであってもよい。これにより、突片２，３が立体結合物Ｍ１の外表面から突出することがなく、全体としての外観状の見栄えを損なうおそれを少なくすることができる。
【００４０】
一方、第一結合部７及び第二結合部８による結合を解除する場合、上記動作と基本的には逆の動作を行えば足りる。すなわち、係合状態の第一突片２の先端をつまみ、截頭部１５に対してひねりを加えるように弾性変形させる。そして、一対の第二突片３の間の突片幅Ｗ２に対して第一突片２の幅を小さくすることにより、第二突片３の間を通過させることにより、係合状態を解除することができる。
【００４１】
これにより、接着材や粘着テープ等の周知の固定手段を使用することなく、樹脂シート材から形成された一対の加工シート体４ａ，４ｂを結合し、立体結合物Ｍ１（模型）を形成することができる。そのため、広告宣伝用にディスプレイされる大型の商品模型等の製作が容易に行える。特に、樹脂シート材１の素材として、ポリプロピレン等のポリオレフィン系樹脂を使用した場合、従来の難点であった接着強度の問題を容易に解消することができ、また外観上の見栄えを悪くしていたのりしろ部等の構成が必要ない。さらに、第一結合部７及び第二結合部８の各突片２，３を係合させるだけであり、結合操作及び結合解除操作が容易となるとともに、一端、結合を解除した後であっても再び結合することができる。すなわち、繰り返しの使用が可能であり、従来に比して製作される立体結合物Ｍ１のリサイクル性が向上し、資源の有効活用を行うことができる。
【００４２】
さらに、結合の最小単位が、一つの第一突片及び一対の第二突片であれば足りるため、端縁６ａ，６ｂの形状や位置に制限されることなく、あらゆる場所に係る突片２，３を設けることができる。また、各突片２，３は加工シート体４ａ，４ｂの切断加工と一体的に同じ工程で形成可能であるため、設備コストや製造コストが増加することがない。
【００４３】
なお、第一実施形態の結合構造を採用した立体結合物Ｍ１において、図１乃至図４等に示すように、第一突片２及び第二突片３が立体結合物Ｍ１の外側（シート上面１４ａ，１４ｂに相当）で係合し、突片２，３の先端が立体結合物Ｍ１から飛出しているものを示している。これは、第一結合部７及び第二結合部８の結合操作及び結合解除操作を容易にするものである。
【００４４】
ここで、図５に示すように、加工シート体４ａ，４ｂの端縁６ａ，６ｂから延設した各第一突片２ａ及び第二突片３ａを立体結合物Ｍ１の内側方向に曲折し、立体結合物Ｍ２の内部で第一突片２ａ及び第二突片３ａを係合するものであっても構わない。これにより、結合操作等において多少の困難性を生じることがあるものの、立体結合物Ｍ２の外観には、各突片２ａ等が突出したものは見られず、製作する商品模型等の立体結合物Ｍ２の本来の外観形状とすることができる。すなわち、見栄えが良好なものとすることができる。なお、立体結合物Ｍ２を構築するための第一結合部７及び第二結合物８の結合等の操作の詳細は、第一突片２等を外側に向けて係合したものと略同一であるため、ここではその詳細な説明については省略するものとする。
【００４５】
次に、本発明の第二実施形態の結合構造について、図６に基づいて主に説明する。ここで、図６は第二実施形態の結合構造を採用した立体結合物Ｍ３の（ａ）第一突片２０及び第二突片２１の構成を示す説明図、（ｂ）結合の状態を示す説明図、及び（ｃ）結合の状態を示す断面図である。なお、第二実施形態の結合構造の説明において、既に説明した第一実施形態の結合構造と同一または略一致するものについては、説明を簡略化するため、詳細な説明及び図示等を省略するものとする。また、立体結合物Ｍ３を構成する加工シート体２２ａ等の素材は、前述した立体結合物Ｍ１等と同一のものが使用され、そのシート成形等の各加工についても同様のものである。
【００４６】
第二実施形態の結合構造を採用した立体結合物Ｍ３は、図６に示すように、一方の加工シート体２２ａの端縁２３ａから延設された第一突片２０を備える第一結合部２４と、他方の加工シート体２２ｂの端縁２３ｂから第一突片２０と対向するように設けられ、端縁２３ｂの近傍に穿設された略四角形の挿入係止孔２５を有する第二突片２１を備える第二結合部２６とを具備して主に構成されている。なお、図６において説明を簡略化するために、一対の第一突片２０及び第二突片２１からなるもののみを図示しているが、実際の立体結合物Ｍ３には、各端縁２３ａ，２３ｂに沿って複数の第一突片２０及び第二突片２１がそれぞれ対向する位置に配されている。
【００４７】
ここで、第一突片２０及び第二突片２１は、略円形状を呈し、第一実施形態の結合構造において示したように、その円形の一部が切り取られた截頭円形状を有し、截頭部２７で各端縁２３ａ，２３ｂと接続されている。ここで、第二突片２１に対し、第一突片２０は、その直径（第一拡幅部２８に相当）が小さな円で形成され、かつ第二突片２１に設けられた挿入係止孔２５の長手方向の孔幅Ｗ５に比して、第一突片２０の第一拡幅部２８が大きく形成されている。なお、挿入係止孔２５の短手方向は、挿入される第一突片２０の突片厚と略一致するように形成されている。なお、図６において図示しないが、第一突片２０の挿入を容易にするように、挿入係止孔２５の孔端の一部に切欠きを設けたものであってもよい。
【００４８】
次に、第二実施形態の結合構造を採用した立体結合物Ｍ３の結合の具体例について説明する。まず、第一突片２０を把持し、第二突片２１の挿入係止孔２５に挿入する。このとき、前述したように第一突片２０の第一拡幅部２８に対し、挿入係止孔２５の孔幅Ｗ５は狭く形成されているため、通常の挿入動作では挿入することができない。そこで、第一突片２０を弾性変形させ、孔幅２９よりも第一拡幅部２８を小さくする。このとき、第二突片２１も第一突片２０と同様に、弾性変形可能な素材で形成されているため、挿入係止孔２５も有る程度、弾性変形することにより、孔幅Ｗ５を若干拡張させることができる。その結果、第一突片２０が挿入係止孔２５に挿入されることとなる。
【００４９】
そして、第一突片２０及び第二突片２１の弾性変形を解除し、元の状態に復帰させる。その結果、第一突片２０の截頭部端２７ａが挿入係止孔２５の孔縁２５ａと当接し、第一突片２０の挿入係止孔２５からの「抜け」が規制される。これにより、第一結合部２４及び第二結合部２６の結合状態が保持される。なお、係る結合状態を解除する場合、第一突片２０に力を加え、再び弾性変形させ、挿入係止孔２５を通過可能な第一拡幅部２８の幅にすることにより、係る結合状態を解除することができる。
【００５０】
その結果、立体結合物Ｍ３が構築される。このとき、第一突片２０及び第二突片２１は、共に立体結合物Ｍ３の内部に格納されるため、これらが立体結合物Ｍ３の外部に突出することがない。そのため、外観上の見栄えが良好なものとなる。さらに、第一実施形態の結合構造のように少なくとも一対の第二突片３を有する必要がなく、一対の第一突片２０及び第二突片２１の構成で、第一結合部２４及び第二結合部２６を結合状態とすることが可能となる。そのため、曲線形状の複雑な箇所或いは比較的小サイズの立体結合物Ｍ３を構築する際に特に有用となる。
【００５１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５２】
すなわち、第一実施形態及び第二実施形態の結合構造において、略円筒状の缶を模した立体結合物Ｍ１等を例示したが、これに限定されるものではなく、立体結合物のほとんど全ての形状に本発明の結合構造は対応することができる。そのため、曲線の一部を構成する部分に第一結合部７等及び第二結合部８等を設けるものであってもよい。さらに、第一実施形態の結合構造等において、一対の加工シート体４ａ，４ｂ等を互いに対向させて結合するものを示したがこれに限定されるものではなく、一枚の樹脂シート材１のそれぞれの端縁に第一結合部及び第二結合部を設けて展開した状態から、樹脂シート材１を撓ませることによって、或いは略中央部分で折曲げることによって、両端縁を近接させ、結合するものであっても構わない。これにより、円筒形状の立体結合物を構築する場合、結合箇所が一カ所で済むため、結合及び解除操作が容易となり、また、結合状態の安定性が保持される。
【００５３】
さらに、本発明の結合構造の使用の一例を示すと、例えば、カバンやバッグ等の物品を樹脂シート材１を用いて構成し、これの袋口部分等を開閉可能にするために係る結合構造を採用するものであっても構わない。ここで、物品が本発明の立体結合物に相当する。
【図面の簡単な説明】
【００５４】
【図１】第一実施形態の結合構造を採用した樹脂シート材を利用した立体結合物の構成を示す斜視図である。
【図２】立体結合物の構成を示す分解斜視図である。
【図３】第一突片及び第二突片による係合を示す拡大図である。
【図４】（ａ）第一突片及び第二突片による係合を示す断面図、及び（ｂ）別例を示す断面図である。
【図５】結合構造を採用した立体結合物の別例構成を示す説明図である。
【図６】第二実施形態の結合構造を採用した立体結合物Ｍ３の（ａ）第一突片２０及び第二突片２１の構成を示す説明図、（ｂ）結合の状態を示す説明図、及び（ｃ）結合の状態を示す断面図である。
【符号の説明】
【００５５】
１  樹脂シート材
２，２ａ，２０  第一突片
３，３ａ，２１  第二突片
４ａ，４ｂ，２２ａ，２２ｂ  加工シート体
６ａ，６ｂ，２３ａ，２３ｂ  端縁
７，２４  第一結合部
８，２６  第二結合部
９  第一凹部
１０  第二凹部
１２，２８  第一拡幅部
１３  第二拡幅部
１４ａ，１４ｂ  シート上面
１５，２７  截頭部（第一接続部、第二接続部）
１５ａ，１５ｂ，２７ａ  截頭部端
Ｍ１，Ｍ２，Ｍ３  立体結合物
Ｗ１  接続幅
Ｗ２  突片幅
【図１】
2009113233.tif 000003
【図２】
2009113233.tif 000004
【図３】
2009113233.tif 000005
【図４】
2009113233.tif 000006
【図５】
2009113233.tif 000007
【図６】
2009113233.tif 000008